【事件の表示】
　平成　９年特許願第１６９２０７号「携帯電話機」拒絶査定不服審判事件〔平成１１年　１月２２日出願公開、特開平１１−　１７７８９〕について、次のとおり審決する。
【結　論】
　本件審判の請求は、成り立たない。
【理　由】
１．手続の経緯
　本願は、平成９年６月２５日の出願であって、平成１９年１月５日付けで拒絶査定がなされ、これに対し、平成１９年２月１５日に拒絶査定に対する審判請求がなされ、当審において平成２１年７月２日付けで拒絶理由通知がなされ、平成２１年９月１日付けで手続補正がなされたものである。
　
２．本願発明
　本願の請求項１に係る発明（以下、「本願発明」という。）は、平成２１年９月１日付け手続補正書の特許請求の範囲の請求項１に記載された以下のとおりのものと認める。
　「無線信号の送受信を行う送受信部と、音声を出力するスピーカと、音声を入力するマイクと、指示等を入力する入力部と、データを表示する表示部と、アイコンを記憶するメモリと、
　アイコンと機能との対応付けを利用者が任意に設定し、設定された対応付けを設定メニューとして前記メモリに記憶しておき、機能を実行する場合には、設定メニューに従ってアイコンを前記表示部に表示して選択されたアイコンの機能を実行する制御部とを有する携帯電話機であって、
　前記制御部が、前記入力部から前記設定メニューのアイコンの変更を行うためのメニュー設定モードに移行する操作が為されると、メニュー設定モードに移行して、前記表示部に、前記メモリに記憶されているアイコンの表示をし、前記入力部により前記アイコンの表示から任意のアイコンを選択し、前記入力部から前記機能に対応するアイコンを変更して登録する指示がなされると、前記選択されたアイコンを前記機能に対応付けて前記メモリに登録する制御部であることを特徴とする携帯電話機。」
　
３．引用例発明及び周知事項
　当審で通知した拒絶理由に引用された特開平９−１４９１０５号公報（以下、「引用例１」という。）には、図面とともに以下の記載がある。
　
「【請求項１】  表示部を備えた移動電話装置において、前記表示部に、当該装置が備えている付加機能に対応し、前記付加機能を表現するアイコンを表示し、カーソルによって前記アイコンが選択されると前記付加機能を実行することを特徴とする移動電話装置。
【請求項２】  データを表示する表示部と、データを入力する入力部と、データを記憶する記憶部と、前記入力部からのデータに従って制御を行う制御部とを備えた移動電話装置において、前記記憶部が、前記移動電話装置で実行される機能とアイコンとを１対１に対応させる対応テーブルと、前記機能を表現するアイコンの表示データとを記憶している記憶部であり、前記制御部が、前記入力部の特定キーが押下された場合に、前記記憶部から前記アイコンの表示データを読み出して前記表示部に出力し、カーソルによってアイコンが選択された場合に、前記対応テーブルを参照して、前記選択されたアイコンに対応する機能を特定し、前記機能を実行する制御部であることを特徴とする移動電話装置。」
　
「【０００１】
【発明の属する技術分野】本発明は、自動車電話や携帯電話等の移動電話装置に係り、特に装置に備えられている複数の機能を分かり易く表示し、機能の選択を容易にして、使い勝手を向上させることができる移動電話装置に関する。」
　
「【００１４】図１は、本発明の実施の形態に係る移動電話装置（本装置）の構成ブロック図である。図１に示すように、本装置は、キーマトリクスから成る入力部１と、装置全体の制御を行う制御部２と、アイコンのパターンを記憶している記憶部４と、ドットマトリクスＬＣＤから成る表示部５と、表示部５を駆動するＬＣＤドライバ３と、駆動回路としてのコモン３１及びセグメント３２とから構成されている。
【００１５】次に、各構成部分について具体的に説明する。まず、入力部１は、通常の数字キーの他、表示部に表示されるカーソルを上下左右に移動させる十字キー１１を備えている。十字キー１１により、カーソルを上下左右の何れかに移動させる移動データが入力され、制御部２が移動データを読み取って、ＬＣＤドライバ３に指示を出力し、カーソルを移動させるようになっている。
【００１６】表示部５は、ドットマトリクスＬＣＤから成り、アイコンの細かいパターンを表示することができるものである。ドットマトリクスＬＣＤには、行毎の共通電極としてのコモン３１と、列毎に信号電圧を印可するセグメント３２とが設けられている。ＬＣＤドライバ３は、ドットマトリクスＬＣＤを駆動するものであり、制御部２からの指示に従って、コモン３１とセグメント３２とを制御して、表示部５に所望のパターンを表示させるようになっている。
【００１７】また、記憶部４は、本装置の特徴である機能を表すアイコン一覧表の表示データと、アイコン一覧表におけるカーソル位置と各機能とを対応させる機能対応テーブル４１とを記憶するものである。
【００１８】ここで、アイコン一覧表について図２を用いて簡単に説明する。図２は、アイコン一覧表の表示例を示す模式説明図である。本装置では、個々の機能をそれぞれ対応するアイコンで表示するようにしており、予め設定された特定キー（例えば「機能」キー、図示せず）の押下によりアイコン一覧表を表示するようになっている。
【００１９】図２に示すように、アイコン一覧表は、本装置に備えられている全ての付加機能をアイコンによって表す一覧表であり、個々のアイコン（○，●，◎，…）は機能に１対１に対応している。図２の例では、機能の内容を的確に表したアイコンにはなっていないが、実際には、各アイコンのパターンは、各機能の内容を的確に表すようにデザインされているものとした方が望ましい。
【００２０】これにより、利用者は、機能を覚えていなくてもアイコン一覧表を見て所望の機能を選択することができるものである。また、アイコン表示は、文字で機能名称を表示する場合に比べて、表示に必要な面積が小さくて済むため、一度に多くの機能を表示することができ、表示部の大きさが限られている小型の移動電話装置にとっては特に都合がよい。更に、アイコンは言語に無関係の表示なので、使用言語が異なる国で用いる場合でも、表示データを変える必要がなく、コストを低減することができるものである。
【００２１】本装置では、アイコン一覧表において表示されるカーソルを、入力部１の十字キー１１を用いて移動させて、所望のアイコン上にカーソルを置き、入力部１の確定キー（図示せず）を押下することにより機能を確定するようになっている。図２の例ではアイコン一覧表の「○」の位置にカーソルがあり、確定キーが押下された場合には、アイコン「○」が示す機能を実行する。
【００２２】次に、記憶部４に記憶されている機能対応テーブル４１について図３を用いて説明する。図３は、機能対応テーブル４１の模式説明図である。図３に示すように、記憶部４に記憶されている機能対応テーブル４１は、各アイコン毎に、機能とアイコン一覧表におけるカーソル位置とを対応させるものであり、アイコン一覧表において入力されたカーソル位置に対応する機能を特定するものである。
【００２３】従って、利用者は、十字キー１１を用いてアイコン一覧表上で自由にカーソルを移動させて、機能を選択することができ、従来のように何度もスクロール操作を行う必要がなく、所望の機能を容易に選択入力できるものである。
【００２４】そして、制御部２は、予め設定された特定キー（「機能」キー等）の押下により記憶部４からアイコン一覧表の表示データを読み取ってアイコン一覧表を表示し、入力部１の十字キー１１から入力された移動データに従ってカーソルを移動させ、入力部１の確定キーが入力されると、機能対応テーブル４１を参照して、カーソル位置に対応する機能を読み取り、指定された機能を実行するものである。」
　
　引用例１の【０００１】段落の記載からすると、引用例１の移動電話装置は、携帯電話機を含んでおり、携帯電話機は、通常、無線信号の送受信を行う送受信部と、音声を出力するスピーカと、音声を入力するマイクを有するものである。
　
　したがって、引用例１には、技術常識を考慮すると、
　「無線信号の送受信を行う送受信部と、音声を出力するスピーカと、音声を入力するマイクと、特定キー等を備える入力部と、データを表示する表示部と、アイコンの表示データを記憶するとともに、機能とアイコンとを対応させる対応テーブルを記憶する記憶部と、入力部の特定キーが押下された場合に、記憶部からアイコンの表示データを読み出して表示部に出力し、アイコンが選択された場合に、対応テーブルを参照して、選択されたアイコンに対応する機能を特定して前記機能を実行する制御部とを有する携帯電話機。」
との発明（以下、「引用例１発明」という。）が開示されていると認めることができる。
　
　また、当審で通知した拒絶理由に引用された特開平８−７７１１１号公報（以下、「引用例２」という。）には、図面とともに以下の記載がある。
　
「【００１５】
【実施例】以下、図面を参照して本発明の実施例について説明する。
Ａ．実施例の構成
Ａ−１．携帯電子機器の構成
図１は本発明の実施例による携帯電子機器の構成を示すブロック図である。図において、１は操作部であり、文字や、コマンドを入力するキー等から構成され、文字やコマンドのコードをＣＰＵ（中央処理装置）２へ供給する。ＣＰＵ２は所定のプログラムを実行することにより当該携帯電子機器の各部を制御する。例えば、操作部１による操作に応じて後述する表示部７の表示を切り替えたり、任意の月日のカレンダを生成し、表示部７に表示させたりする。ＲＯＭ３は、上記ＣＰＵ２により実行されるプログラムや、各種パラメータ等が記憶されている。例えば、スケジュール内容が予め登録された、後述するアイコンや、当該携帯電子機器の動作、機能を指示するメニューアイコンを、他の図柄のアイコンに置き換える際に、予め設定されたアイコンとは異なる図柄からなる複数のアイコンが格納されている。ＲＡＭ４は、上記ＣＰＵ２による処理によって生じるデータが格納されるワークエリアとして用いられる。なお、上記異なる図柄からなる複数のアイコンは、ＲＡＭ４に記憶されるようにしてもよい。」
　
「【００３２】（ｃ）アイコンの変更
次に、アイコンの変更について説明する。図９はアイコン変更処理を説明するためのフローチャートである。以下に述べるステップＳ８０〜Ｓ１０２は、メニューアイコン、もしくはスケジュール設定に用いるアイコンを変更するアイコン設定処理である。まず、図５（ａ）に示す状態において、図示のステップＳ８０で、ユーザにより操作部１のカーソルキーや、タッチ入力またはペン入力によりアイコンを変更するためのメニューアイコン（図示略）を選択させる。変更用のメニューアイコンが選択されると、ステップＳ８２へ進み、選択された変更用のメニューアイコンを反転表示させる。次に、ステップＳ８４へ進み、図１０（ａ）に示すように、メニューアイコンもしくはスケジュールアイコン等、登録されたアイコンを表示部７に表示させる。次に、ステップＳ８６へ進み、変更しようとするアイコンをユーザにより選択させる。変更しようとするアイコンが選択されると、ステップＳ８８へ進み、そのアイコンを反転表示させる。図１０（ａ）では、相性占いのメニューアイコンが選択され、反転表示されている。
【００３３】次に、ステップＳ９０へ進み、操作部１に設けられた変換キーが押下されたか否かを判断する。そして、変換キーが押下されていない場合には、ステップＳ９０における判断結果が「ＮＯ」となり、同ステップＳ９０を繰り返し実行する。一方、変換キーが押下されると、ステップＳ９０における判断結果が「ＹＥＳ」となり、ステップＳ９２へ進む。ステップＳ９２では、図１０（ｂ）に示すように、表示部７に変更用に登録されている変更用アイコンを表示させる。変更用アイコンとしては、図１０（ｂ）に示すように、複数のアイコンが登録されており、図示の例では、ハートの図柄、音符の図柄、花の図柄等が用意されている。
【００３４】次に、ステップＳ９４へ進み、表示部７に表示された変更用アイコンの中から所望するアイコンをユーザにより選択させる。なお、このステップＳ９４は、操作部１およびＣＰＵ２とともに、請求項記載の変更アイコン選択手段に相当する。変更後のアイコンが選択されると、ステップＳ９６へ進み、図１０（ｂ）に示すように、選択されたアイコンを反転表示させる。次に、ステップＳ９８において、操作部１に設けられたＯＫキーが押下されたか否かを判断する。そして、ＯＫキーが押下されていない場合には、ステップＳ９８における判断結果は「ＮＯ」となり、ステップＳ９４へ戻る。以下、図１０（ｂ）の状態で、他のアイコンを選択すれば、そのアイコンが反転表示される。アイコンが所望するものであれば、ユーザによってＯＫキーが押下される。ユーザがＯＫキーが押下すると、ステップＳ９８における判断結果は「ＹＥＳ」となり、ステップＳ１００へ進む。ステップＳ１００では、図１０（ｃ）に示すように、表示部７に変更後のアイコンを表示させるとともに、変更後のアイコンを点滅表示させる。そして、ステップＳ１０２において、変更後のアイコンを登録する。なお、このステップＳ１０２は、操作部１およびＣＰＵ２とともに、請求項記載のアイコン変更手段に相当する。」
　
　したがって、引用例２には、技術常識を考慮すると、
　「操作部から、アイコンの変更を行うためのメニューアイコンが選択されると、登録されたアイコンを表示し、変更しようとするアイコンをユーザにより選択させ、ＲＯＭに記憶されている変更用アイコンを表示し、操作部により変更用アイコンの中から所望するアイコンを選択し、ＯＫキーが押下されると変更しようとするアイコンに代えて選択されたアイコンを登録するように制御する携帯電子機器。」
との発明（以下、「引用例２発明」という。）が開示されていると認めることができる。
　　　
４．対比
　本願発明と引用例１発明とを対比する。
　引用例１発明の「特定キー等を備える入力部」は、特定キー等により指示を入力するものであるから、本願発明の「指示等を入力する入力部」に相当する。
　本願発明の「アイコンを記憶する」ことは、アイコンの表示データを記憶することを意味しているから、引用例１発明の「アイコンの表示データを記憶する」ことは、本願発明の「アイコンを記憶する」ことに相当する。
　引用例１発明の「対応テーブル」と、本願発明の「設定メニュー」は、アイコンと機能との対応付けを記憶するものである点で共通している。
　引用例１発明の「記憶部」と、本願発明の「メモリ」とは、「アイコンを記憶する」ものであり、かつ、「設定メニュー」を記憶するものである点で共通している。
　引用例１発明の「入力部の特定キーが押下された場合」は、本願発明の「機能を実行する場合」に相当する。
　
　したがって、本願発明と引用例１発明とは、
「無線信号の送受信を行う送受信部と、音声を出力するスピーカと、音声を入力するマイクと、指示等を入力する入力部と、データを表示する表示部と、アイコンを記憶するメモリと、
　アイコンと機能との対応付けを設定メニューとして前記メモリに記憶しておき、機能を実行する場合には、アイコンを前記表示部に表示して選択されたアイコンの機能を実行する制御部とを有する携帯電話機。」
の点で一致し、以下の点で相違している。
　　
［相違点１］
　メモリに記憶されるアイコンと機能との対応付けについて、本願発明は、利用者が任意に設定するものであるのに対して、引用例１発明は、利用者が設定するものではない点。
　
［相違点２］
　アイコンを表示部に表示するために、本願発明は、設定メニューに従って行うのに対して、引用例１発明では、設定メニューを用いない点。
　
［相違点３］
　本願発明の制御部は、「前記入力部から前記設定メニューのアイコンの変更を行うためのメニュー設定モードに移行する操作が為されると、メニュー設定モードに移行して、前記表示部に、前記メモリに記憶されているアイコンの表示をし、前記入力部により前記アイコンの表示から任意のアイコンを選択し、前記入力部から前記機能に対応するアイコンを変更して登録する指示がなされると、前記選択されたアイコンを前記機能に対応付けて前記メモリに登録する」ものであるのに対して、引用例１発明の制御部は、そのようなものではない点。
　　
５．当審の判断
［相違点１］、［相違点２］について
　表示されたアイコンを選択して機能を実行する電子機器において、アイコンと機能との対応付けを利用者が任意に設定できるようにし、その設定をメモリに記憶して、その設定に従ってアイコンを表示することは、例えば、特開平５−１５０９９３号公報、特開平４−２６２４２０号公報、特開平５−１３４８３２号公報に示されるように、当業者における周知事項である。
　当該周知事項を、携帯電話機に適用することに困難性は認められないから、引用例１発明において相違点１、２に係る構成を採用することは、当業者が容易に想到し得たものである。
　
［相違点３］について
　引用例２発明の「操作部」、「ＲＯＭ」は、本願発明の「入力部」、「メモリ」に相当する。
　引用例２発明の「アイコンの変更を行うためのメニューアイコンが選択される」ことは、「アイコンの変更を行うためのモードに移行する操作が為される」ことであるということができる。
　引用例２発明は、「変更しようとするアイコン」の機能を「選択されたアイコン」に対応させるものであるということができ、引用例２発明の「ＯＫキー」は、「機能に対応するアイコンを変更して登録する指示」を行うものであるといえる。
　引用例２発明の「ＲＯＭに記憶されている変更用アイコン」は、本願発明の「メモリに記憶されているアイコン」に相当する。
　したがって、引用例２発明は、
「入力部から、アイコンの変更を行うためのモードに移行する操作がなされると、アイコンの変更を行うモードに移行して、メモリに記憶されているアイコンの表示をし、前記入力部により前記アイコンの表示から任意のアイコンを選択し、前記入力部から前記機能に対応するアイコンを変更して登録する指示がなされると、前記選択されたアイコンを前記機能に対応付けて登録するように制御する携帯電子機器。」
と表現することができる。
　引用例１発明と引用例２発明とは、表示されたアイコンを選択して機能を実行する携帯電子機器である点で共通しており、引用例１発明に引用例２発明を適用することより、相違点３に係る構成とすることは、当業者が容易に想到し得たものである。
　
　そして、本願発明の作用効果も、引用例１発明、引用例２発明及び周知事項から当業者が予測できる範囲のものである。
　　　
６．むすび
　以上のとおり、本願発明は、引用例１発明、引用例２発明及び周知事項に基づいて、当業者が容易に発明をすることができたものであるから、特許法第２９条第２項の規定により特許を受けることができない。
　よって、結論のとおり審決する。